(57)【要約】【課題】リモコンの数が増えると、それらの管理や取り扱いが大変である。【解決手段】正多面体または準正多面体の各面に、操作対象となる操作対象装置１０を操作するためのスイッチ群２０６を設ける。スイッチ群２０６は、複数のスイッチ２０２を有し、このスイッチ２０２が押下された場合、ポリヘドラル・リモートコントローラ１００は、対応する制御情報を送信する。スイッチ群２０６を含む操作機能部２００は、ポリヘドラル・リモートコントローラ１００と着脱可能に形成されている。これにより、複数の操作対象装置１０を操作するためのリモートコントローラをひとつにまとめることができる。【選択図】図１
2007166329.tif 000002
【特許請求の範囲】
【請求項１】
所定の装置を遠隔操作するリモートコントローラであって、
前記所定の装置に対する動作指示を受け付けるための操作部と、
受け付けた動作指示に対応する制御情報を前記所定の装置に送信する送信部と、
を備え、
当該リモートコントローラの外観は、正多面体または準正多面体であることを特徴とするポリヘドラル・リモートコントローラ。
【請求項２】
前記操作部は、利用者からの操作を受け付けるスイッチを有し、
前記スイッチは、前記正多面体または準正多面体を構成するいずれかの面に設けられていることを特徴とする請求項１に記載のポリヘドラル・リモートコントローラ。
【請求項３】
当該ポリヘドラル・リモートコントローラは、複数の装置をそれぞれ遠隔操作可能であり、
各装置の前記操作部は、前記正多面体または準正多面体を構成する面毎に設けられることを特徴とする請求項１または２に記載のポリヘドラル・リモートコントローラ。
【請求項４】
当該ポリヘドラル・リモートコントローラは、前記操作部が設けられる面に対応して内部空間が分割され、その空間に前記操作部が配置されていることを特徴とする請求項２または３に記載のポリヘドラル・リモートコントローラ。
【請求項５】
前記面とその面に対応する前記操作部は所定のケースの内部に一体化されており、前記ケースは当該ポリヘドラル・リモートコントローラから取り外し可能に形成されていることを特徴とする請求項４に記載のポリヘドラル・リモートコントローラ。
【請求項６】
前記複数の装置のうち、操作対象となる装置を選択する選択部を更に備え、
前記送信部は、選択された装置用の操作部が受け付けた動作指示に対応する制御情報を送信することを特徴とする請求項３から５のいずれか１項に記載のポリヘドラル・リモートコントローラ。
【請求項７】
前記面の中心に選択スイッチが配置され、前記選択スイッチが操作された場合に、前記選択部は、その選択スイッチを点灯させるとともに、その選択スイッチが配置された面に対応する装置を操作対象として選択し、
前記送信部は、選択された装置用の操作部が受け付けた動作指示に対応する制御情報を送信することを特徴とする請求項６に記載のポリヘドラル・リモートコントローラ。
【請求項８】
前記操作部は、動作指示に対応して複数のスイッチを有し、それらのスイッチは、前記面の中心の周辺に配置されることを特徴とする請求項１から７のいずれかに記載のポリヘドラル・リモートコントローラ。
【請求項９】
前記面は、正多面体または準正多面体を構成する多角形であり、その多角形の対角線上に、スイッチが配置されることを特徴とする請求項１から７のいずれかに記載のポリヘドラル・リモートコントローラ。
【請求項１０】
前記面は、正多面体または準正多面体を構成する多角形であり、その多角形の対称軸上にスイッチが配置されることを特徴とする請求項１から７のいずれかに記載のポリヘドラル・リモートコントローラ。
【請求項１１】
前記面は、正多面体または準正多面体を構成する多角形であり、その多角形の輪郭に沿ってスイッチが配置されることを特徴とする請求項１から７のいずれかに記載のポリヘドラル・リモートコントローラ。
【請求項１２】
正多面体または準正多面体を構成する面を外形の一部に有し、その面には所定の装置に対する動作指示を受け付けるためのスイッチが設けられ、
正多面体または準正多面体の形状をしたポリヘドラル・リモートコントローラと、前記面が前記ポリヘドラル・リモートコントローラの外形の一部を形成するように結合するための結合部と、
前記ポリヘドラル・リモートコントローラと結合することにより、前記ポリヘドラル・リモートコントローラに、前記スイッチが受け付けた動作指示に対応する制御情報を前記所定の装置に送信させる制御部と、
を備えることを特徴とする電子装置。
【請求項１３】
前記動作指示と前記制御情報とを対応づけて保持する格納部を更に備え、
前記制御部は、前記スイッチが受け付けた動作指示に対応する制御情報を前記格納部から読み出し、前記ポリヘドラル・リモートコントローラに出力することを特徴とする請求項１２に記載の電子装置。
【発明の詳細な説明】
【技術分野】
【０００１】
この発明は所定の装置を遠隔操作するためのリモートコントローラおよびそのコントローラに装着する電子装置に関するものである。
【背景技術】
【０００２】
技術の発達と人々の生活のゆとりは密接に関連している。技術が発達することにより、人々の生活は豊かになり、生活が豊かになれば更なる発達をめざして開発が行われる。近年、人々の生活は豊かになり、家庭内には様々な電化製品が存在している。そうした電化製品は、例えば、テレビジョン、エアーコンディショナ、ステレオなどであり、それらは、我々の生活を快適にしているだけでなく、我々の生活を豊かにし、便利にしている。一般に、そうした電化製品は、遠隔からユーザが操作できるように遠隔操作用の機能が搭載されており、ユーザはリモートコントローラを操作することで、遠隔にある電化製品を操作することができる（例えば、特許文献１参照）。
【特許文献１】特開平９−８４１４５号公報
【発明の開示】
【発明が解決しようとする課題】
【０００３】
一般に、リモートコントローラは、操作対象となる装置毎に用意され、電化製品とともにユーザに提供される。このため、遠隔操作に対応した電化製品の数が多ければ、それだけリモートコントローラの数が増えてしまい、それらの管理や取り扱いが面倒になってしまう。更に、多くのリモートコントローラは、板チョコ状の直方体に複数のスイッチが配置された形状になっており、必要な機能を備えることが念頭とされ、デザイン的に無機質な印象をユーザに与える。
【０００４】
本発明はこうした点に鑑みてなされたもので、その目的は、リモートコントローラの利便性を向上し、デザイン性を高め、より身近な存在にする技術の提供にある。
【課題を解決するための手段】
【０００５】
本発明のある態様は、所定の装置を遠隔操作するリモートコントローラである。このリモートコントローラは、所定の装置に対する動作指示を受け付けるための操作部と、受け付けた動作指示に対応する制御情報を所定の装置に送信する送信部とを備え、当該リモートコントローラの外観は、正多面体または準正多面体である。これにより、デザイン的に楽しいリモートコントローラを提供でき、単に遠隔操作するための機能を持つだけでなく目を楽しませ、身近な存在することができる。
【０００６】
操作部は、利用者からの操作を受け付けるスイッチを有し、スイッチは、正多面体または準正多面体を構成するいずれかの面に設けられてよい。
【０００７】
当該リモートコントローラは、複数の装置をそれぞれ遠隔操作可能であり、各装置の操作部は、正多面体または準正多面体を構成する面毎に設けられてよい。これにより、ひとつのリモートコントローラで複数の装置を遠隔操作できる。また、各装置のスイッチ群は、面毎に設けられているので、ユーザは所望する装置を操作するための必要なスイッチ群を容易に見つけ出すことができる。また、多面体の面毎にスイッチ群が割り当てられているので、ユーザが多面体を把持し、回転するという直接的な作業により必要なスイッチ群を有する面を探し出すことができるので、直観的に操作することができる。
【０００８】
当該リモートコントローラは、操作部が設けられる面に対応して内部空間が分割され、その空間に操作部が配置されてよい。
【０００９】
多面体を形成する面とその面に対応する操作部は所定のケースの内部に一体化されており、そのケースは当該リモートコントローラから取り外し可能に形成されてよい。
【００１０】
このリモートコントローラは、前記複数の装置のうち、操作対象となる装置を選択する選択部を更に備え、送信部は、選択された装置用の操作部が受け付けた動作指示に対応する制御情報を送信してよい。これにより、リモートコントローラを把持することにより、ユーザが意図していない制御情報が所定の装置に送信されることを防止できる。
【００１１】
多面体を形成する面の中心に選択スイッチが配置され、選択スイッチが操作された場合に、選択部は、その選択スイッチを点灯させるとともに、その選択スイッチが配置された面に対応する装置を操作対象として選択し、送信部は、選択された装置用の操作部が受け付けた動作指示に対応する制御情報を送信してもよい。これにより、ユーザは、操作対象として選択されている装置の操作部を直観的に把握でき、操作ミスを減らすことができる。
【００１２】
操作部は、動作指示に対応して複数のスイッチを有し、それらのスイッチは、面の中心の周辺に配置されてよい。
【００１３】
多面体を形成する面は多角形であり、その多角形の対角線上に、スイッチが配置されてよい。
【００１４】
多面体を形成する面は多角形であり、その多角形の対称軸上にスイッチが配置されてよい。
【００１５】
多面体を形成する面は多角形であり、その多角形の輪郭に沿ってスイッチが配置されてよい。
【００１６】
本発明の別の態様は、リモートコントローラに装着する電子装置である。この装置は、正多面体または準正多面体を構成する面を外形の一部に有し、その面には所定の装置に対する動作指示を受け付けるためのスイッチが設けられ、正多面体または準正多面体の形状をしたリモートコントローラと、面がリモートコントローラの外形の一部を形成するように結合するための結合部と、リモートコントローラと結合することにより、リモートコントローラに、スイッチが受け付けた動作指示に対応する制御情報を前記所定の装置に送信させる制御部とを備える。
【００１７】
この装置は、動作指示と制御情報とを対応づけて保持する格納部を更に備え、制御部は、スイッチが受け付けた動作指示に対応する制御情報を格納部から読み出し、リモートコントローラに出力してよい。
【００１８】
なお、以上の構成要素の任意の組合せ、本発明の表現を方法、装置、システムなどの間で変換したものもまた、本発明の態様として有効である。
【発明の効果】
【００１９】
本発明によれば、正多面体または準正多面体の各面に、操作対象とする一つの装置をリモートコントロールするためのスイッチ群を配置することにより、単体で多種多様な装置を操作対象とするマルチリモートコントローラを提供できる。
【発明を実施するための最良の形態】
【００２０】
図１は、実施の形態に係るポロヘドラル・リモートコントローラ１００（以下、単に「リモートコントローラ１００」という）の外観図である。第１操作対象装置１０ａおよび第２操作対象装置１０ｂ（以下、単に「操作対象装置１０」という）は、リモートコントローラ１００の操作対象となる装置であり、例えばテレビジョン、ビデオ、エアーコンディショナ、ステレオ、ゲーム機などの任意の装置である。リモートコントローラ１００は、正多面体または準正多面体（以下、単に「多面体」ということもある）の外観をしており、表面にスイッチ群２０６を有する。正多面体および準正多面体は、それぞれ複数の多角形の面を組み合わせることで形成されている。正多面体および準正多面体には、例えば正４面体、正６面体、正８面体、切頂八面体、斜方切頂立方八面体など１８種類があり、リモートコントローラ１００はそのいずれかの形状に形成されている。スイッチ群２０６は、操作対象装置１０毎にグループ化され、それぞれ複数のスイッチ２０２を含む。リモートコントローラ１００は、例えば赤外線や電波などのキャリアを利用して無線で、各スイッチ２０２に割り当てられた制御情報を操作対象装置１０に送信する。操作対象装置１０は、リモートコントローラ１００から送信された制御情報に基づいて、所定の動作を行う。
【００２１】
本図のリモートコントローラ１００は、切頂８面体であり、正六角形の面１０２ａと正方形の面１０２ｂとをそれぞれ複数組み合わせて形成されている。リモートコントローラ１００を形成するそれぞれの面１０２には、操作対象装置１０を操作するためのスイッチ群２０６が、操作対象装置１０毎に別々に設けられている。つまり、ひとつの面１０２には、ひとつの操作対象装置１０に対して操作を指示するための複数のスイッチ２０２が設けられる。これにより、ユーザは、面１０２毎に各操作対象装置１０を操作するためのスイッチ群２０６を把握できる。また、従来、装置毎に用意された複数個のリモートコントローラを組合せ、統合することができるので、例えばリモートコントローラがかさばり、置き場に困ったり、なくしてしまったりすることを防止できる。更に、正多面体または準正多面体を利用することにより、体積の割に多くの面をとることができるので、操作対象となる装置の収容数を効率的に多くすることができる。また、各面の配色を変えることで、デザイン的にも、操作的にも優れたものになり、インテリア性と機能性とを兼ね備える装置になる。インテリア性を高めることで、例えばテーブルなど常に目の着くところにリモートコントローラ１００を置いても、違和感なく、生活に溶け込ませることができる。
【００２２】
選択スイッチ２０４は、面１０２の中心に設けられており、操作対象装置１０を選択するためのスイッチである。ユーザが、所望の操作対象装置１０のスイッチ群２０６に設けられた選択スイッチ２０４を押下することにより、選択スイッチ２０４が点灯し、そのスイッチ群２０６に含まれる各スイッチ２０２が有効になり、対応する制御情報が送信される。これにより、例えばユーザがリモートコントローラ１００を把持することで、意図していない制御情報が操作対象装置１０に送信されることを防止できる。また、選択スイッチ２０４が点灯することにより、ユーザは選択中の操作対象装置１０を直観的に把握できる。他の例では、選択スイッチ２０４が点灯しなくてもよく、選択スイッチ２０４の周辺、選択スイッチ２０４を含む面の一部もしくは全部が点灯してもよい。また、他の例では、面１０２の中心に、操作対象装置１０の電源を切り替えるためのスイッチが設けられてもよい。
【００２３】
リモートコントローラ１００を形成する正六角形の面１０２ａを一部に有する第１操作機能部２００ａ、およびリモートコントローラ１００を形成する正方形の面１０２ｂを一部に有する第２操作機能部２００ｂは、それぞれリモートコントローラ１００から着脱可能に形成されている。以下、リモートコントローラ１００を形成する面を一部に有し、着脱可能な機能ブロックを単に「操作機能部２００」という。操作機能部２００は、操作対象となる操作対象装置１０に対して動作を指示するためのスイッチ群２０６を有する。操作機能部２００は、操作対象装置１０毎に用意される。そして、操作機能部２００をリモートコントローラ１００に装着することにより、リモートコントローラ１００は、その操作対象装置１０に対する制御情報を送信可能になる。
【００２４】
操作機能部２００は、送信手段を搭載し、単独で操作対象装置１０に制御情報を送信できてもよいし、送信手段を搭載せず、リモートコントローラ１００に装着することで制御情報の送信が可能になってもよい。本実施の形態では、操作機能部２００が送信手段を搭載していない形態を例に説明する。
【００２５】
図２は、図１のリモートコントローラ１００の透視図である。リモートコントローラ１００は、中心部分に後述する制御情報を送信するための構成などを収容する本体ブロック１６２と、図１の操作機能部２００を収容するオプションブロック収納スペース１６０とを有する。本図で、第１オプションブロック収納スペース１６０ａは、図１の第１操作機能部２００ａを収容するためのスペースであり、第２オプションブロック収納スペース１６０ｂは、図１の第２操作機能部２００ｂを収容するためのスペースである。それぞれの操作機能部２００を収容するためのスペースをオプションブロック収納スペース１６０という。また、操作機能部２００の数がリモートコントローラ１００の面１０２の数より少ない場合、オプションブロック収納スペース１６０には、ダミーのつまり操作機能を有していない操作機能部２００が収容される。例えば、ダミーの操作機能部２００は、スイッチ群２０６が設けられていない。
【００２６】
本体ブロック１６２は、リモートコントローラ１００と同一の形状を縮小した形状に形成されている。本体ブロック１６２を形成する面１６４は、例えば操作機能部２００と電気的に接続するためのコネクタを有する。したがって、操作機能部２００におけるスイッチ群２０６が設けられた面１０２と対向する面は、面１６４と略同一の形状に形成されている。
【００２７】
図３（ａ）は、図１の面１０２におけるスイッチ２０２の配置状態の一例を示す図である。この面１０２には、ハート形のスイッチ２０２ｃが、選択スイッチ２０４の周辺に配置されている。
【００２８】
図３（ｂ）は、面１０２におけるスイッチ２０２の配置状態の別の例を示す図である。この面１０２には、丸形のスイッチ２０２ａと、三角形のスイッチ２０２ｂとが、面１０２の対角線上に配置されている。
【００２９】
図３（ｃ）は、面１０２におけるスイッチ２０２の配置状態の別の例を示す図である。この面１０２には、四角形のスイッチ２０２ｄがそれぞれ平行に配置されている。このように、面１０２に配置するスイッチ２０２の形状は、例えば多角形、円形、楕円形、星形、ハート形、種形、十字形など任意の形状であってよい。そして、それらのスイッチ２０２を、面１０２上に、例えば、面１０２の中心の周辺に配置してもよいし、面１０２の形状の対角線上に配置してもよいし、対称軸上に配置してもよいし、面１０２の輪郭に沿ってスイッチ２０２を配置してもよい。スイッチ２０２は、操作性、視覚的な印象、デザインなどを考慮して適切に配置されることが好ましい。
【００３０】
図４は、図１のリモートコントローラ１００の内部構成図である。リモートコントローラ１００は、着脱可能なオプションブロック１５０と、本体ブロック１５２とを備える。オプションブロック１５０は操作機能部２００である。本体ブロック１５２は、詳細は後述するが本体側接続部１１０、本体側結合部１１２、選択部１１４、および送信部１１６を有する。
【００３１】
本体側結合部１１２は、各操作機能部２００と本体ブロック１５２とを物理的に結合する。本体側結合部１１２は、例えば凸部と凹部とをはめ合うことで操作機能部２００と本体ブロック１５２とを結合してもよいし、ネジなどにより結合してもよい。本体側接続部１１０は、例えばコネクタにより各操作機能部２００と電気的接続する。そして、本体側接続部１１０は、図１のスイッチ２０２を押下することにより操作機能部２００から出力される制御情報を受け付け、受け付けた制御情報を選択部１１４に中継する。また、本体側接続部１１０は、各操作機能部２００から図１の選択スイッチ２０４が押下されたことを示す選択情報を受け付け、同様に選択部１１４に中継する。
【００３２】
選択部１１４は、選択情報に基づいて、送信部１１６に供給すべき制御情報を特定する。そして、選択部１１４は特定した制御情報を送信部１１６に供給する。例えば、選択部１１４は、第１の操作対象装置１０を選択する選択情報を受け付けた場合、次に第２の操作対象装置１０を選択する選択情報を受け付けるまで、第１の操作対象装置１０に対する制御情報のみを送信部１１６に出力する。また、選択部１１４は、選択中の操作対象装置１０を明示するために、その操作対象装置１０の選択に利用する選択スイッチ２０４を点灯させる。送信部１１６は、例えば電波、赤外線などを利用して、選択部１１４から供給された制御情報を操作対象装置１０に送信する。
【００３３】
図５は、図４の操作機能部２００の内部構成図である。スイッチ群２０６は、操作対象となる操作対象装置１０を選択するための選択スイッチ２０４と、操作対象装置１０に対する動作指示に対応した複数のスイッチ２０２を有する。それぞれのスイッチ２０２は、図１の面１０２に設けられており、ユーザからの操作を受け付ける。スイッチ２０２は、例えばプッシュスイッチ、スライドスイッチ、トグルスイッチなどであってもよいし、タッチパネルなどであってもよい。制御情報格納部２１２は、各スイッチ２０２に対応付けて制御情報を保持する。読出部２１０は、押下されたスイッチ２０２に対応付けられた制御情報を制御情報格納部２１２から読み出し、オプション側接続部２１４を介して本体側接続部１１０に出力する。また、選択スイッチ２０４が押下され点灯した場合、読出部２１０は、その旨を示す選択情報をオプション側接続部２１４を介して本体側接続部１１０に出力する。
【００３４】
オプション側接続部２１４は、本体側接続部１１０と電気的に接続する。オプション側結合部２１６は、本体側結合部１１２と結合し、操作機能部２００と本体ブロック１５２とを物理的に結合する。図４の本体側結合部１１２およびオプション側結合部２１６は、互いに取り付けや取り外しが比較的容易で、例えばドライバーなどの工具を用いずに手軽に作業を行えるような構造を有することが好ましい。本体側結合部１１２およびオプション側結合部２１６は、例えば摩擦力、磁力などを応用して操作機能部２００と本体ブロック１５２とを結合する構造であってよい。また、当然のことであるが、結合した操作機能部２００とオプションブロック１５０とは、必要以上の力が加わらない限り分離せず、結合状態を保持できるように本体側結合部１１２およびオプション側結合部２１６は保持力を持つ。また、これらの操作機能部２００が有する各機能ブロックは、図１のリモートコントローラ１００の面１０２を一部に有するケースの内部に一体化されている。
【００３５】
本発明の実施の形態による多面体リモコンは、様々な場面において利便性を提供することができる。
【００３６】
たとえば、ソーホー（ＳＯＨＯ）などの勤務スタイルの増加にともない、自宅をオフィスとして使用する人が増えている。また、近年の住宅スタイルの傾向として、リビングルームが広めになっていることが多い。このような背景において、広めのリビングを目的の異なるゾーンに分けて活用することがされている。たとえば、リビングルームは、居間、オフィス、食堂に分けて使用される場合が考えられる。このような広い空間において、たとえばテレビジョン、エアーコンディショナ、オーディオセット、ＤＶＤ装置、複数の照明器具など、様々な電子機器が設置されており、これらの電子機器の操作を効率良く操作するために、リモコンが欠かせないものである。
【００３７】
またたとえば、ワンルームスタイルを取ることが多い最近の老人ホームでは、各入居者の部屋に、エアーコンディションナ、オーディオセット、ビデオセット、ＤＶＤ装置、複数の照明器具のほか、カーテンの自動開閉装置などが設けられており、これらの装置のほとんどは、リモコンにより操作されるようになっている。足腰が弱った入居者にとって、リモコンは自分の日常生活に欠かせないものとなっている。
【００３８】
一方、現状では、機器ごとにリモコンがあり、複数の機器を操作するためには、複数のリモコンが必要である。また、機器が異なっても、ほとんどのリモコンが、板チョコ状の直方体に複数のスイッチが配列された同じ形状に製作されている。
【００３９】
形状が相似する複数のリモコンの管理は、実は難しいことである。実際の生活の中で、本棚の下に落ちたり、ソファーの隙間に挟まれたりするなどで目的のリモコンが見つからないこと、リモコンと機器の対応関係が分からず、その機器のリモコンと異なるリモコンを用いて機器を操作しようとしていらいらすることなどはよく生じる。
【００４０】
本発明の実施の形態による多面体リモコンは、上記の様々なニーズに対応することができ、上述の問題を解決することができる。とくに、１つの多面体リモコンに複数の機器に対応するリモコンの機能を備え、この多面体リモコンのみを管理すればよく、年配の使用者でも管理しやすい。
【００４１】
本発明の実施の形態による多面体リモコンは、その形状、対応する機器の種類および数など、図１に示すリモートコントローラ１００に限られることがない。たとえば、図６に示すようなポリヘドラル・リモートコントローラ３００（以下単に「リモートコントローラ３００」という）も考えられる。
【００４２】
図６によりその外観を示すリモートコントローラ３００は、立方体の形状を有し、その６つの面は、たえばそれぞれエアーコンディションナ、テレビジョン、オーディオセット、ＤＶＤ装置、照明器具、カーテンの自動開閉装置に対応している。
【００４３】
図７〜図１２は、図１に示すリモートコントローラ３００の６つの面をそれぞれ示す図である。なお、これらの図は、それぞれ、エアーコンディションナ用の面、照明器具用の面、カーテンの自動開閉装置用の面、テレビジョン用の面、ＤＶＤ装置用の面、オーディオセット用の面である。
【００４４】
リモートコントローラ３００は、幾何学的に美しい造形を有するため、机や棚に置いて、飾りとしても使用することができる。
【００４５】
また、機器ごとに対応するスイッチはグループ分けされ、それぞれの面に配置されている。すなわち、複数の機器に対応しながら、すべてのスイッチが一つの面に集まっていない。また、各面のスイッチは異なるそれぞれの機器に対応している。このような構成によって、一つの面に配置されるスイッチの数を減らすことができ、操作時におけるスイッチの選択が便利にできる。さらに、スイッチを密集させる必要がないから、スイッチのサイズを大きくすることができ、操作性の向上を図ることができる。
【００４６】
また、より使いやすくするための工夫、たとえば面毎に、スイッチの色を変えたり、面毎に異なる色を用いたり、各面においてその面が対応する機器の名前にアイコンなどを貼り付けるなどをしてもよい。
【００４７】
もちろん、それぞれの面を多面体の枠から着脱可能にして、枠から外した面を、通常のリモコンと同じように使用することができるようにしてもよい。
【００４８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【図面の簡単な説明】
【００４９】
【図１】実施の形態に係るポリヘドラル・リモートコントローラの外観図である。
【図２】図１のポリヘドラル・リモートコントローラの透視図である。
【図３】（ａ）は、図１の面におけるスイッチの配置状態の一例を示す図であり、（ｂ）は、スイッチの配置状態の別の例を示す図であり、（ｃ）は、スイッチの配置状態の更に別の例を示す図である。
【図４】図１のポリヘドラル・リモートコントローラの内部構成図である。
【図５】図４の操作機能部の内部構成図である。
【図６】実施の形態に係る別のポリヘドラル・リモートコントローラの外観図である。
【図７】図６に示すポリヘドラル・リモートコントローラにおける、エアーコンディションナに対応する面を示す図である。
【図８】図６に示すポリヘドラル・リモートコントローラにおける、照明器具に対応する面を示す図である。
【図９】図６に示すポリヘドラル・リモートコントローラにおける、カーテンの自動開閉装置に対応する面を示す図である。
【図１０】図６に示すポリヘドラル・リモートコントローラにおける、テレビジョンに対応する面を示す図である。
【図１１】図６に示すポリヘドラル・リモートコントローラにおける、ＤＶＤ装置に対応する面を示す図である。
【図１２】図６に示すポリヘドラル・リモートコントローラにおける、オーディオセットに対応する面を示す図である。
【符号の説明】
【００５０】
１０  操作対象装置、１００  ポリヘドラル・リモートコントローラ、１０２  面、１１０  本体側接続部、１１２  本体側結合部、１１４  選択部、１１６  送信部、１５０  オプションブロック、１５２  本体ブロック、１６０  オプションブロック収納スペース、１６２  本体ブロック、２００  操作機能部、２０２  スイッチ、２０４  選択スイッチ、２０６  スイッチ群、２１０  読出部、２１２  制御情報格納部、２１４  オプション側接続部、２１６  オプション側結合部、  ３００  ポリヘドラル・リモートコントローラ、  ３０２  エアーコンディションナに対応する面、  ３０４  照明器具に対応する面、  ３０６  カーテンの自動開閉装置に対応する面、  ３０８  テレビジョンに対応する面、  ３１２  ＤＶＤ装置に対応する面、  ３１４  オーディオセットに対応する面。
【図１】
2007166329.tif 000003
【図２】
2007166329.tif 000004
【図３】
2007166329.tif 000005
【図４】
2007166329.tif 000006
【図５】
2007166329.tif 000007
【図６】
2007166329.tif 000008
【図７】
2007166329.tif 000009
【図８】
2007166329.tif 000010
【図９】
2007166329.tif 000011
【図１０】
2007166329.tif 000012
【図１１】
2007166329.tif 000013
【図１２】
2007166329.tif 000014